(57)【特許請求の範囲】
【請求項１】
封鎖され、固定されかつ再開口可能なカップ及び蓋の組立体であって、
上方の縁により定められた開かれた円形の口、上方の縁の下方の内向きに開いている固定用溝、及び固定用溝から下向きに伸びかつ外向きに広がっている円錐台状の内側壁部分を有するカップ、
カップの開かれた口の中に挿入されるような寸法にされ、更に前記固定用溝の中にスナップ嵌めで受け入れられる外側の周囲リップ、及び周囲リップから下向きに伸びかつ外向きに広がっていて前記円錐台状の内側壁部分と封鎖組合いをしている円錐台状の封鎖壁を有する弾性のある円形の蓋、及び
揃えられたときに蓋の取外しを許す、前記固定用溝及び前記周囲リップにおける、円周方向で間隔を空けられかつ回転方向に揃えることができる中断した部分を含んでなり、前記円周方向で間隔を空けられかつ回転方向に揃えることができる中断した部分が複数の凹所と複数の固定用突起とを含んでなる、
前記組立体。
【請求項２】
前記固定用溝が、カップの上方の縁から半径方向内向きに伸びている複数個の突起、及び突起の下方で突起から間隔を空けられた環状の水平方向のカップ壁部分を備える請求項１に示された組立体。
【請求項３】
蓋の外側の周囲リップが、略垂直方向の中間リップ面により互いに連結された略水平方向の上方及び下方のリップ面を備え、
前記突起が略同一面上にある下面を有し、更に
前記周囲リップが、リップの前記上方及び下方の面とそれぞれ前記突起の下面及び前記水平方向のカップ壁部分との組合いにより前記固定用の溝の中に捕らえられる請求項２に示された組立体。
【請求項４】
前記蓋の周囲リップの中断された部分が、カップの上方の縁における突起に対応する凹所を備え、突起を通過する蓋の再開口運動を許している請求項３に示された組立体。
【請求項５】
カップの円錐台状の内側壁部分が水平方向壁部分の半径方向内側の縁から下向きに伸び、これにより第１の直径を有する第１のエッジビードを形成し、更に
円錐台状の封鎖壁が下方リップ面の半径方向内側の縁から下向きに伸びこれにより第１の直径より大きい第２の直径を有する第２のエッジビードを形成する請求項３に示された組立体。
【請求項６】
前記第２のエッジビードが、蓋の挿入に応答した横方向変形により前記第１のエッジビードの上に乗り、更に前記円錐台状封鎖壁と前記円錐台状の内側壁部分との間の封鎖組合いを提供するように弾性で戻るようにされた請求項５に示された組立体。
【請求項７】
前記円錐台状の内側壁部分の広がり角度が前記円錐台状封鎖壁の広がり角度より小さい請求項６に示された組立体。
【請求項８】
封鎖しかつ固定するカップ及び蓋の組立体であって、
円筒状の略垂直方向の内部の第１の壁部分により定められた開かれた円形の口、前記第１の壁部分の下方の縁から半径方向内向きに伸びている環状の略水平方向の第２の壁部分、円周方向で周りに間隔を空けられかつ前記第１の壁部分から半径方向内向きに伸びている複数の固定用突起であって、前記水平方向の第２の壁部分の垂直方向上方に間隔を空けられ略同一面上にある下面を有する前記突起、及び前記第２の壁部分の内側の縁から下向きに伸びかつ外向きに広がっている円錐台状の略垂直方向の第３の内部壁部分を有するカップ、及び
カップの開かれた口の中に適合するような寸法にされ、かつ外側の周囲リップ配置、前記リップ配置の半径方向内側の縁から下向きに伸びかつ外向きに広がっている円錐台状の略垂直方向の封鎖壁を有する弾性のある円形蓋を備え、
これにより、カップの口の中への蓋の垂直方向下向きの挿入に応答して、リップ配置が前記固定用突起との接触により内向きに撓められかつその下面とカップの水平方向の第２の壁部分との間に固定され、更に前記封鎖壁がカップの第３の壁部分と組み合いこれを押して封鎖する前記組立体。
【請求項９】
前記リップ配置が、円錐台状の下向きに収束している連結面により連結された略水平方向の上下のリップ面を備える請求項８に示された組立体。
【請求項１０】
前記固定用突起が、前記第１の壁部分の上方の縁から半径方向内向きかつ下向きに伸びる上方導入面を備える請求項９に示された組立体。
【請求項１１】
前記リップ配置に形成されかつ前記固定用突起に対応して円周方向で位置決めされた凹所を更に備え、前記凹所は、これが前記突起と揃えられたときに蓋をカップから取り去ることを許すように前記突起のための隙間を提供している請求項８に示された組立体。
【請求項１２】
前記凹所が、上方リップの連続した凹所部分及び前記リップ配置の連結面を備える請求項１１に示された組立体。
【請求項１３】
前記蓋が、外側の周囲の縁に沿って封鎖壁の下方の縁に連結された高くされた中央ボデーを更に備える請求項８に示された組立体。
【請求項１４】
前記蓋の中央ボデーを封鎖壁に連結している環状の連結面を更に備える請求項１３に示された組立体。
【請求項１５】
前記蓋の中央ボデーが、略平らな中央面を囲んでいる略円錐台状の外壁を備える請求項１３に示された組立体。
【請求項１６】
前記外壁が、カップに関する蓋の相対回転を容易にするために、使用者の指と組み合うようにされた触知可能な凹みを備える請求項１５に示された組立体。
【請求項１７】
多封鎖し多固定する再開口可能なカップ（１０）及び蓋（１１）の組立体であって、
主固定機構の第１の半分（２２）と副封鎖面の第１の半分（１７）とを定めている内部の上方領域及び主封鎖面の第１の半分（２３）と副固定機構の第１の半分（２４）とを定めている連続した内部下方領域を含み開かれた円形の口を有するカップ（１０）、
前記開かれた口の中に挿入可能でありかつ主固定機構の第２の半分（２７）と副封鎖面の第２の半分（３０）とを定めている外周リップ領域及び主封鎖機構の第２の半分（３２）と副固定機構の第２の半分（３４）とを定めている連続した内側リップ領域を有する弾性のある円形の蓋（１１）を備え、そして
前記蓋が、完全に封鎖されかつ固定された位置から、前記蓋を外すために前記主固定機構が外されて前記副固定機構の手操作による乗上げを許す位置に、カップの口の中で回転可能である前記組立体。
【発明の詳細な説明】
【技術分野】
【０００１】
本発明は、封鎖されたプラスチック容器、特に分離したカップと蓋とを有し、後者が容器を閉鎖するように取り付けられたときに連続した封鎖及び固定された組合いを提供する容器に関する。
【背景技術】
【０００２】
プラスチック容器は、無数の包装機能のために広く使用される。可撓性の薄壁のプラスチック容器は、その軽量と安価とのために食物サービス用及び同様な用途において特に魅力的である。かかる容器は、通常は熱形成又は真空形成技術を使って作られる。これら容器に適したＰＥＴ及びポリスチレンを含んだ多くの熱可塑性樹脂がある。
【０００３】
カップは、飲料容器又はその他の液状食品用容器として使用される場合は、カップの口を定めている縁の上にスナップ止めする略平らな蓋により閉鎖されることが普通である。この蓋は、漏れを防ぐため又は妨げるために完全に閉鎖することができ、或いは吸引用ストローに関して接近のために開口し又は開口可能な区域を持つことができる。スナップ止め蓋、又はカバーは、漏洩又はこぼれに対するある程度の保護は提供するが確実であるとはいえない。これらの蓋は、使用者により極めて容易に又は不注意により壊され、容器が傾けられた場合は確実な閉鎖を提供できず、落とされた場合は尚更である。
【発明の開示】
【発明が解決しようとする課題】
【０００４】
飲料用カップのような容器、及び液漏れしない封鎖を提供しかつ不注意による開口に対しても蓋を封鎖するような方法で容易に取り付け得る蓋を有することが望まれる。
【課題を解決するための手段】
【０００５】
本発明により、封鎖され、固定されかつ再開口可能なカップ及び蓋の組立体は、上方の縁により定められた開かれた円形の口、上方の縁の下方の内向きに開いている固定用溝、及び固定用溝から下向きに伸びかつ外向きに広がっている円錐台状の内側壁部分を有するカップ；カップの開かれた口の中に挿入されるような寸法にされた弾性のある円形の蓋であって、カップの固定用溝の中にスナップ嵌め（ｓｎａｐ  ｆｉｔ）で受け入れられる外側の周囲リップ、及び周囲リップから下向きに伸びかつ外向きに広がっていてカップの円錐台状の壁部分と封鎖組合いをしている円錐台状の封鎖壁を有する前記蓋；及び蓋の取外しを許すために円周方向で間隔を空けられかつ回転方向に揃えることができる固定用溝及び周囲リップにおける中断した突起を備える。
【０００６】
好ましくは、固定用溝は、カップの上方の縁から半径方向内向きに伸びている複数個の突起、及び突起の下方で突起から間隔を空けられた環状の水平方向のカップ壁部分を備える。蓋の外側の周囲リップは、好ましくは、略垂直方向の中間リップ面により互いに連結された略水平方向の上方及び下方のリップ面を備える。突起は、略同一面上にある下面を有し、そして周囲リップは、リップの上方及び下方の面とそれぞれ突起の下面及び水平方向の壁部分との組合いにより固定用の溝の中に捕らえられる。蓋の周囲リップの中断された部分は、カップの上方の縁における突起に対応する形状の凹所を備え、そして突起を通過する蓋の再開口運動を許す。
【０００７】
カップの円錐台状の内側壁部分が水平方向壁部分の半径方向内側の縁から下向きに伸び、これにより第１の直径を有する第１のエッジビードを形成する。蓋の円錐台状の封鎖壁が下方リップ面の半径方向内側の縁から下向きに伸び、これにより第１の直径より大きい第２の直径を有する第２のエッジビードを形成する。第２のエッジビードは、蓋の挿入に応答した横方向撓みにより第１のエッジビードの上に乗り、更に蓋の円錐台状封鎖壁とカップの円錐台状壁部分との間の封鎖組合いを提供するように弾性で戻る。好ましくは、円錐台状壁部分の広がり角度は前記円錐台状封鎖壁の広がり角度より小さい。
【０００８】
本発明の更なる実施例は、封鎖しかつ固定するカップ及び蓋の組立体を提供する。この組立体は、円筒状の略垂直方向の内部の第１の壁部分により定められた開かれた円形の口、第１の壁部分の下方の縁から半径方向内向きに伸びている環状の略水平方向の第２の壁部分、円周方向で周りに間隔を空けられかつ第１の壁部分から半径方向内向きに伸びている複数の固定用突起であって、水平方向の第２の壁部分の垂直方向上方に間隔を空けられ略同一面上にある下面を有する前記突起、及び第２の壁部分の内側の縁から下向きに伸びかつ外向きに広がっている円錐台状の略垂直方向の第３の内部壁部分を有するカップを備える。組立体は、カップの開かれた口の中に適合するような寸法にされ、更に外側の周囲リップ配置、リップ配置の半径方向内側の縁から下向きに伸びかつ外向きに広がっている円錐台状の略垂直方向の封鎖壁を有する弾性のある円形蓋も備える。カップの口の中への蓋の垂直方向下向きの挿入に応答して、リップ配置は、固定用突起との接触により内向きに撓められかつその下面とカップの水平方向の第２の壁部分との間に固定され、更に封鎖壁はカップの第３の壁部分と組み合いこれを押して封鎖する。
【０００９】
リップ配置は、円錐台状の下向きに収束している連結面により連結された略水平方向の上下のリップ面を備えることができる。固定用突起は、第１の壁部分の上方の縁から半径方向内向きかつ下向きに伸びる上方導入面を備える。組立体は、リップ配置に形成されかつ固定用突起に対応して円周方向で位置決めされた凹所も備えることができる。凹所は、これが突起と揃えられたときに蓋をカップから取り去ることを許すように突起のための隙間を提供する。凹所は、上方リップの連続した凹所部分及びリップ配置の連結面を備えることができる。蓋は、外側の周囲の縁に沿って封鎖壁の下方の縁に連結された高くされた中央ボデーを更に備えることができる。組立体は、蓋の中央ボデーを封鎖壁に連結している環状の連結面を更に備えることができる。蓋ボデーは、略平らな中央面を囲んでいる略円錐台状の外壁を備えることができる。外壁は、カップに関する蓋の相対回転を容易にするために、使用者の指と組み合うようにされた触知可能な凹みを備えることができる。
【００１０】
更なる実施例は、多封鎖し多固定する再開口可能なカップ及び蓋の組立体である。この組立体は、主固定機構の第１の半分と副封鎖面の第１の半分とを定めている内部の上方領域及び主封鎖面の第１の半分と副固定機構の第１の半分とを定めている連続した内部下方領域を備えることができる。組立体は、また開かれた口の中に挿入可能でありかつ主固定機構の第２の半分と副封鎖面の第２の半分とを定めている外周リップ領域、及び主封鎖機構の第２の半分と副固定機構の第２の半分とを定めている連続した内側リップ領域を有する弾性のある円形の蓋も備えることができる。蓋は、完全に固定されかつ封鎖された位置から、蓋を外すために主固定機構が外されて副固定機構の手操作による乗上げを許す位置に、カップの口の中で回転可能である。
【００１１】
本発明の更なる実施例は、封鎖されかつ確保された容器を提供する。この容器は、開かれた口を有する受容器及びこの口の中に挿入可能な蓋を備える。受容器の口は、内部の固定用溝及び下向きに広がる負のドラフト角を有する連続した第１の封鎖面を定める。蓋は、固定用の溝への導入面に乗り上がりそして溝内の固定組合いにスナップ止めされた周囲リップを備えることができる。蓋は、負のドラフト角に相補性のドラフト角を有する連続した第２の封鎖面も持つことができる。第１及び第２の封鎖面は、リップの溝内へのスナップ止めに応答して封鎖組合いをするように位置決めすることができる。
【発明の効果】
【００１２】
挿入されたときカップ１０の口１３内に全体的に収容される蓋１１を提供することにより、カップリムの外側に重なる通常のカップの蓋における共通の問題である不注意に組み合わせられる可能性又は蓋を外すように偶然に叩かれる可能性がある自由な蓋のリップの縁がない。主固定及び封鎖用の特徴は、カップが叩かれ、当てられ又は落とされた場合の漏れと蓋の移動に対する優れた安全性を提供する。固定用溝２２内のリップ１７のスナップ止め固定の本来の利便性は、これが聞き取り得る「スナップ止め（ｓｎａｐ）」を生ずることである。結果として、カップと固定組合いに蓋を挿入する人は、蓋を挿入するときにこれが定位置に固定されたことを確かめるために観察することはできない。聞き取り得るスナップ止めは、閉鎖しの明瞭な表示であり、サービスマンと顧客の双方に安全の感覚を提供する。
【実施例】
【００１３】
本発明の好ましい実施例の組み合わせられたカップ１０及び蓋１１の斜視図が図１に示される。カップ及び蓋は、別の成型方法を使うこともできるが、適切なプラスチック材料から熱形成されることが好ましい。更に、ＰＥＴ及びポリスチレンを含んだ公知かつ通常使用される適宜の熱形成用プラスチック樹脂を使用することができる。発泡プラスチックの使用も考えられる。同様に、ゲージ又は材料の厚さを、本産業においてよく知られかつ典型的に適用される要因に応じて、広い範囲で変えることができる。
【００１４】
図２及び３も参照すれば、カップ１０は下方ボデー１２を備え、これは滑らかな円錐台の形に示されているが、溝付き、リブ付き、或いは通常の熱形成技術で作り得る無数の形及びデザインのいずれとすることもできる。カップは、切り揃えられた縁１５で外向きに終わっている円い上方リム１４により定められる開かれた円形の口を持つ。リム１４は、円筒状で略垂直方向の内側の第１の壁部分１６の上方エッジを定め、この壁部分は、その下端において、略水平方向の環状の第２の壁部分１７と結ばれ、この第２の壁部分は垂直方向の第１の壁部分１６から半径方向内向きに伸びる。垂直方向の第１の壁部分１６には、円周方向で間隔を空けられた一連の固定用突起１８も設けられ、その各は、以下説明されるであろう導入部２０を提供するようにリム１４から内向きかつ下向きに傾斜する。固定用突起１８は、略平らな下面２１を有し、この下面は水平方向の第２の壁部分１７の垂直方向上方に間隔を空けられかつ略同一面上にある。突起１８の下面２１、垂直方向の第１の壁部分１６、及び第２の壁部分１７は、一緒になって蓋１１用の固定用溝２２を定める。
【００１５】
略垂直方向の内側の第３の壁部分２３が、第２の壁部分１７の内側の縁に連結されかつここから下向きに伸びる。第２の壁部分１７と第３の壁部分２３との間の連結部を定めている円形の縁がエッジビード２４を定める。第３の壁部分２３は、下向きかつ外向きに広がっている円錐台の形を持つ。壁部分２３のドラフト角（ｄｒａｆｔ  ａｎｇｌｅ）又は広がり角度は、例えば約１．５゜とすることができる。ただし、これはカップ及び組み合っている蓋１１の寸法と形に大きく依存して変わることができる。水平方向の第４の壁部分２５が、第３の壁部分２３の下方の縁をカップのボデー１２に連結する。
【００１６】
図４−７及び１０も参照すれば、蓋１１は、中央ボデー２６と複合形状の周囲リップ２７とを有し、このリップはカップ１０の口と組み合って蓋を定位置に固定しかつ液漏れのない封鎖を提供する。リップ２７は、最外側の水平方向上方リップ面２７及び略垂直方向の中間面３１により相互に連結された水平方向の下方リップ面３０を備える。水平方向の下方リップ面３０の内側の縁は、下向きに伸びかつ外向きに広がる円錐台状の略垂直方向の封鎖壁３２に連結される。封鎖壁３２のドラフト角又は広がり角度は、カップの円錐台状の第３の壁部分２３のドラフト角より幾分大きく、例えば３゜とすることができる。封鎖壁３２の下方の縁は、環状の連結面３３により蓋のボデー２６に連結される。円錐台状の封鎖壁３２と環状の連結面３３との間の円形の連結部が外側エッジビード３４を定める。
【００１７】
蓋１１をカップ１０に確保したいときは、蓋を口１３内に置き、そして垂直方向下向きに押す（図１０参照）。複合形状の周囲リップ配置２７は、カップの上方の第１の壁部分１６から内向きに伸びる固定用突起１８により定められる最小直径より大きい直径を持つ。そこで、図１１に示されるように、面３０と３１とを連結している丸みの付けられた縁２９が固定用突起の導入面２０上を通過するとき、蓋の下向きの動きがリップ配置２７を内向きに弾性変形させるであろう。カップは典型的に厚い材料で作られ、剛性がより大きいため、主な弾性変形は蓋において生ずる。しかし、カップの口１３のある程度の本来の外向きの変形も生ずる。上方リップ面２８の最外側の縁が固定用突起の下面２１に達すると、上方リップ面２８が突起の下面２１上を圧迫しかつ下方リップ面３０がカップの水平方向の第２の壁部分１７上を圧迫するような寸法にされた固定用の溝２２内にリップ２７全体がスナップ止めされる。固定用突起１８の導入面上の蓋の下向き運動と同時に、蓋１１の底部の外側エッジビード３４が、カップの円錐台状の第３の壁部分２３の頂部の内側エッジビード２４と組み合う。蓋の外側エッジビード３４は、カップの内側のエッジビード２４より幾分か大きい直径を持つ。蓋のリップ２７の弾性変形が外側エッジビード３４を内側エッジビードの上に乗り上げさせ、内側エッジビードの下方の副スナップ止め運動を伴って動かし、蓋の封鎖壁３２を壁部分２３との封鎖組合いにする。
【００１８】
上述の蓋１１のカップ１０への相互連結により、円錐台状封鎖面２３と３２とが組み合ったときのカップの固定用溝２２内の蓋のリップ配置２７の確実な主固定、カップの円錐台状壁部分２３と蓋の円錐台状封鎖壁３２との間の主液体封鎖、蓋の下方リップ面３０とカップの水平方向壁部分１７との間の副液体封鎖、及びカップの内側エッジビード２４が蓋の外側エッジビード３４上に乗ったときに形成される副固定が生ずる。
【００１９】
図５及び８に最もよく見られるように、カップ固定用溝２２内の蓋のリップ２７の確実な主固定は、蓋が永久変形を受けるか又は回されるまで、蓋の外れることを実質的に防止する。この固定及び対応した液漏れのない封鎖は、一杯にされたカップからの蓋の移動なしの大量の滴下又は内容物の漏洩に抵抗できる。
【００２０】
しかし、カップから蓋を外し得ることが望ましいので、固定解除用及び再開口用の機能
も提供される。蓋の周囲リップ２７には、カップの複数の固定用突起１８の位置に関して円周方向で間隔を空けられた複数の凹所３５が設けられる。複数の凹所３５は、上方リップ面２８及び中間の連結面３１の連続凹所部分により定められる。従って、複数の凹所３５は、下方の水平方向リップ面３０内に部分的に伸びる。図６及び１３に示されるように、複数の凹所３５が複数の固定用突起１８と回転方向で揃えられたとき、円錐台状の封鎖面２３と３２との間の締まりスナップ止めのみにより拘束された蓋１１を掴んで垂直方向に持ち上げることができる。しかし、蓋の外側エッジビード３４が内向きに変形されカップの内側ビードエッジ２４を通過するとき、蓋の垂直方向持上げ運動が副固定に打ち勝つ。複数の凹所３５が複数の固定用突起１８と揃えられている間、蓋は閉鎖位置に留まり、封鎖面２３と３２との間の主封鎖は完全な機能状態に留まり、更にこれらの面の間の副摩擦固定組合いが蓋の不慮の外れに対する良好な確保をなお提供することに注意すべきである。
【００２１】
蓋１１のこの好ましい実施例においては、ボデー２６は高くされた略平らな頂部３７及び下向きテーパーの略円錐台状の外壁３８を持ち、この外壁は、その下端において環状の連結面３３と連続する。蓋を外すために固定用突起１８と蓋の凹所３５の回転方向の位置決めを容易にできるように、蓋の外壁３８には、使用者の指と組み合うための触知し得る凹み４０が設けられる。取外しを容易にするために、蓋に、平らな頂面３７の凹みを含んだ別の触知可能な手段或いはこの面に形成されたハンドルを設け得ることは明らかである。同様に、別のボデー形状を有する蓋を使うこともできる。
【００２２】
蓋１１は、図２に示されるように、最初に、蓋の凹所３５をカップの固定用突起１８に揃える必要なしにカップと完全に固定しかつ封鎖する組み合い状態に容易にスナップ止めされる。このため、部品間の手操作による回転方向の再整列は不必要であり、かつリップ２７が更に固定用溝２２内にスナップ止めするように突起のすぐ下に挿入されたときは、蓋を定位置に確実に固定するためのカップ内の蓋の回転は不要である。蓋の水平方向の上方リップ面２８の直径は、カップの垂直方向の第１の壁部分１６の内径より僅かに小さい。これにより、円錐台状のカップ面２３と円錐台状の蓋の面３２との間の主封鎖は乱されず、かつリップ面２８の縁とカップ壁１６との間の不当な摩擦的拘束なしにカップ内での蓋の回転を許すことが保証される。従って、非固定位置への蓋の回転中の主滑り接触は封鎖面２３と３２との間であることが分かるであろう。
【００２３】
上述のように、蓋の閉鎖面３２は、カップの封鎖壁部分２３のドラフト角より僅かに大きいドラフト角を持つ。このドラフト角の差が、外側エッジビード３４とカップの封鎖壁２３との間の弾性バネ力を強化して封鎖を強化しかつ面のいかなる不規則性も封鎖を破壊しないことを確実化する。諸部品の本来の弾性のため、円錐台状のカップ壁部分２３と円錐台状の蓋の封鎖壁３２との間の面と面との或る程度の直接接触のあることが好ましいが、主封鎖は、蓋の壁３２のより大きいドラフト角及び外側エッジビード３４による主封鎖接触により保証される。
【図面の簡単な説明】
【００２４】
【図１】本発明の閉鎖され固定されたカップ及び蓋の組立体の斜視図である。
【図２】カップの口の中のスナップ止め場所に落とすように準備中の蓋を示している図１の組立体の分解斜視図である。
【図３】図２に示されたカップの平面図である。
【図４】図２に示された蓋の平面図である。
【図５】図１に示された組み合わせられたカップ及び蓋の平面図である。
【図６】非固定位置への蓋の回転を示している図５のカップ及び蓋の組立体の平面図である。
【図７】図５の線７−７において得られたカップ及び蓋の組立体を通る垂直方向断面図である。
【図８】図７の一部分の拡大詳細断面図である。
【図９】図８の一部分の更なる拡大詳細断面図である。
【図１０】図２の線１０−１０において得られた拡大詳細断面図である。
【図１１】蓋をカップとの固定組合にする際の蓋の弾性運動を示している断面詳細図である。
【図１２】図５の線１２１２において得られた詳細断面図である。
【図１３】カップにおいて蓋が非固定位置から垂直方向に外れるところを示している図６の線１３−１３において得られた拡大詳細図である。
【図１】
0004648613.tif 000002
【図２】
0004648613.tif 000003
【図３】
0004648613.tif 000004
【図４】
0004648613.tif 000005
【図５】
0004648613.tif 000006
【図６】
0004648613.tif 000007
【図７】
0004648613.tif 000008
【図８】
0004648613.tif 000009
【図９】
0004648613.tif 000010
【図１０】
0004648613.tif 000011
【図１１】
0004648613.tif 000012
【図１２】
0004648613.tif 000013
【図１３】
0004648613.tif 000014